(57)【要約】【課題】本発明は手軽に枕の幅や高さを無段階に調整して使用することができる枕を得るにある。【解決手段】通常の大きさよりも明らかに大きく形成された収納袋と、この収納袋内に詰められたほぼ通常の量のそば殻、綿、羽、プラスチックパイプ等の詰物とで枕を構成している。【選択図】図４
2005177404.tif 000002
【特許請求の範囲】
【請求項１】
通常の大きさよりも明らかに大きく形成された収納袋と、この収納袋内に詰められたほぼ通常の量のそば殻、綿、羽、プラスチックパイプ等の詰物からなる枕において、収納袋の折込幅を調整することで枕の幅や高さを無段階に調整することができることを特徴とする枕。
【請求項２】
最適に調整された収納袋の折込幅を長時間維持するために、該収納袋に面ファスナー等の接着具を取付けたことを特徴とする前記請求項１に記載の枕。
【請求項３】
収納袋は、枕に対して横方向にのみ通常の寸法よりも明らかに長く形成したことを特徴とする前記請求項１および２に記載の枕。
【請求項４】
収納袋は、枕に対して縦方向にのみ通常の寸法よりも明らかに長く形成したことを特徴とする前記請求項１および２に記載の枕。
【請求項５】
前記各請求項に記載の各枕の外周部を覆う枕カバー。
【発明の詳細な説明】
【技術分野】
【０００１】  本発明は枕に関する。
【背景技術】
【０００２】  従来の枕は、長方形状の収納袋の中にそば殻、綿、羽、プラスチックパイプ等を入れた状態になっている。【０００３】  従来の枕は、
１．あらかじめ決められた高さに設定しており、使用者の好みに完全に合致しているとは言い難い。
２．高さ等の調整ができる枕であっても使用者個人の用に供するものを追求した物であるため、枕の構造が複雑で生産コストも高い。
３．収納袋内の詰物の量によって枕の高さを調節する方法であり、調整が複雑で簡単でなかった。
４．ホテル、旅館等の宿泊施設の宿泊者や病院等の患者の仕様を考慮すれば、調整方式、コスト高の理由で、採用できる物ではない。
という欠点があった。
【特許文献１】    特開２００１−１２０４１２
【発明の開示】
【発明が解決しようとする課題】
【０００４】  本発明は以上のような従来の欠点に鑑み、収納袋内の詰物の量は変えずに、収納袋の形状を変えることにより手軽に枕の幅や高さを無段階に調整して使用することができる枕を提供することを目的としている。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、通常の大きさよりも明らかに大きく形成された収納袋と、この収納袋内に詰められたほぼ通常の量のそば殻、綿、羽、プラスチックパイプ等の詰物とで枕を構成している。
【発明の効果】
【０００７】  以上の説明から明らかなように、本発明にあっては次に列挙する効果が得られる。【０００８】（１）通常の大きさよりも明らかに大きく形成された収納袋と、この収納袋内に詰められたほぼ通常の量のそば殻、綿、羽、プラスチックパイプ等の詰物とからなるので、収納袋の折込幅を調整することで手軽に枕の幅や高さを無段階に調整することができる。
したがって、使用者に合った幅や高さにして使用することができる。【０００９】（２）前記（１）によって、折込幅を調整するだけなので、寝た状態でも高さ調整をすることができる。
したがって、高さ調整のために睡眠が妨げられることが少ない。【００１０】（３）前記（１）によって、幅、高さ、奥行きの微調整が可能である。
したがって、より使用者の好みに合致した枕にすることができる。【００１１】（４）前記（１）によって、構造が簡単で使いやすく、容易に実施することができる。
したがって、ホテル、病院等の不特定多数の使用者の頭部用、寝返り身体用等の種々の利用が可能となる。【００１２】（５）請求項２も前記（１）〜（４）と同様な効果が得られるとともに、最適に調整できた状態を長く維持することができる。【００１３】（６）請求項３、４、５も前記（１）〜（４）と同様な効果が得られる。
【発明を実施するための最良の形態】
【００１４】  以下、図面に示す本発明を実施するための最良の形態により、本発明を詳細に説明する。
【実施例１】
【００１５】  図１ないし図６に示す本発明を実施するための最良の第１の形態において、本発明の枕１は、長方形状の長辺を通常の寸法よりも明らかに長く形成した収納袋２と、該収納袋２の中に詰められたほぼ通常使用する量のそば殻、綿、羽、プラスチックパイプ等の詰物３とで構成されている。【００１６】  上記構成の枕１は詰物３を収納袋２の一方に寄せ、収納袋２の他方に余った部分２ａを収納袋２の一方の下方に折込んで使用する。【００１７】  枕１を高い方に調整する場合には、図４に示すように下方に折込む収納袋の余った部分２ａの幅を大きくして調整する。
また、枕１を低い方に調整する場合には、図５に示すように下方に折込む収納袋の余った部分２ａの幅を小さくして調整する。
なお、通常使用する場合は図６に示すように、前期収納袋２の外周部を覆う枕カバー６を使用するが、これに限らず、枕を最適な状態に調整した後に、一般的な筒状、ひも式あるいは袋状等の枕カバーを用いても良い。【００１８】  次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００１９】  図７および図８に示す本発明を実施するための第２の形態において、前記本発明を実施するための最良の第１の形態と主に異なる点は、ほぼ正方形状に形成された収納袋２Ａを用いた点で、このような収納袋２Ａを用いた枕１Ａにしても、前記本発明を実施するための最良の第１の形態と同様な作用効果が得られるとともに、奥行きの調整をすることができる。
【実施例３】
【００２０】  図９ないし図１１に示す本発明を実施するための第３の形態において、前記本発明を実施するための最良の第１の形態と主に異なる点は、前記収納袋の余った部分２ａの端部に取付けられた面ファスナー雄４と、折込んだときに該面ファスナー雄４と対応する部位に取付けられた面ファスナー雌５を設けた点で、このように構成した枕１Ｂにしても、前記本発明を実施するための最良の第１の形態と同様な作用効果が得られるとともに、最適に調整できた状態を長く維持することができる。
【実施例４】
【００２１】  図１２および図１３に示す本発明を実施するための第４の形態において、前記本発明を実施するための最良の第１の形態と主に異なる点は、枕に対して縦方向にのみ通常の寸法よりも明らかに長く形成した収納袋２Ｂを用いた点で、このような収納袋２Ｂを用いた枕１Ｃにしても、前記本発明を実施するための最良の第１の形態と同様な作用効果が得られる。
【実施例５】
【００２２】  図１４および図１５に示す本発明を実施するための第５の形態において、前記本発明を実施するための最良の第１の形態と主に異なる点は、チャック７等を用いて開閉可能な開口部を設けた収納袋２Ｃを用いるとともに、詰物は使用済み枕や、使用者の好みに合わず未使用状態になっている枕などの詰物３Ａを用いた点で、このような収納袋２Ｃと詰物３Ａを用いた枕１Ｄにしても、前記本発明を実施するための最良の第１の形態と同様な作用効果が得られるとともに、不要な枕を再利用することができ、余分なゴミも出さなくて済む。
なお本実施の形態では前記本発明を実施するための最良の第１の形態に用いた収納袋にチャック７等を用いて開閉可能な開口部を設けたものについて説明したが、これに限らず他の実施の形態に用いた収納袋にチャック７等を用いて開閉可能な開口部を設けても良い。
【産業上の利用可能性】
【００２３】
【００２４】  本発明は枕、寝具等を製造する産業で利用される。
【図面の簡単な説明】
【００２５】
【図１】本発明を実施するための最良の第１の形態の平面図。
【図２】本発明を実施するための最良の第１の形態の正面図。
【図３】図１の３−３線に沿う断面図。
【図４】枕を高い方に調整する場合の説明図。
【図５】枕を低い方に調整する場合の説明図。
【図６】枕カバーを用いた場合の説明図。
【図７】本発明を実施するための第２の形態の平面図。
【図８】本発明を実施するための第２の形態の枕を調整した状態を示す説明図。
【図９】本発明を実施するための第３の形態の平面図。
【図１０】本発明を実施するための第３の形態の底面図。
【図１１】本発明を実施するための第３の形態の枕を調整した状態の正面図。
【図１２】本発明を実施するための第４の形態の平面図。
【図１３】本発明を実施するための第４の形態の枕を調整した状態を示す説明図。
【図１４】本発明を実施するための第５の形態の底面図。
【図１５】図１４の１５−１５線に沿う断面図。
【符号の説明】
【００２６】１、１Ａ、１Ｂ、１Ｃ、１Ｄ：枕、  ２、２Ａ、２Ｂ、２Ｃ：収納袋、
２ａ：収納袋の余った部分、        ３、３Ａ：詰物、
４：面ファスナー雄、              ５：面ファスナー雌、
６：枕カバー、                    ７：チャック。
【図１】
2005177404.tif 000003
【図２】
2005177404.tif 000004
【図３】
2005177404.tif 000005
【図４】
2005177404.tif 000006
【図５】
2005177404.tif 000007
【図６】
2005177404.tif 000008
【図７】
2005177404.tif 000009
【図８】
2005177404.tif 000010
【図９】
2005177404.tif 000011
【図１０】
2005177404.tif 000012
【図１１】
2005177404.tif 000013
【図１２】
2005177404.tif 000014
【図１３】
2005177404.tif 000015
【図１４】
2005177404.tif 000016
【図１５】
2005177404.tif 000017